【手続補正書】
【提出日】平成18年7月28日(2006.7.28)
【手続補正１】
【補正対象書類名】明細書
【補正対象項目名】特許請求の範囲
【補正方法】変更
【補正の内容】
【特許請求の範囲】
【請求項１】
オーディオ・ビジュアル（ＡＶ）信号をＮ（Ｎ：自然数）系統入力するＭ（Ｍ：Ｍ＜Ｎを満たす整数）個の入力手段と、
前記入力手段を制御する入力手段制御手段と、
前記ＡＶ信号を記録する記録手段と、
前記記録されたＡＶ信号の再生を制御する再生制御手段と、
前記再生されたＡＶ信号を表示する表示手段とを備え、
前記再生制御手段は、少なくとも前記記録手段に記録されている前記ＡＶ信号を、複数同時に前記表示手段に表示させることを特徴とする多画面表示装置。
【請求項２】
前記記録手段は、
前記ＡＶ信号に所定の高能率符号化を行ってから記録を行うものであり、
前記再生制御手段は、
前記所定の高能率符号化が行われたＡＶ信号に前記所定の高能率符号化の逆の復号化を行ってから再生することを特徴とする請求項１に記載の多画面表示装置。
【請求項３】
前記入力手段は放送局からの信号を入力するチューナであり、前記Ｎ系統のＡＶ信号は、それぞれ異なる放送局からの信号であることを特徴とする請求項１または２に記載の多画面表示装置。
【請求項４】
前記入力手段制御手段は、
前記チューナのチャンネルを所定の時間間隔で時分割に切り換えることを特徴とする請求項３に記載の多画面表示装置。
【請求項５】  前記チューナが受信しているＡＶ信号と、前記記録手段に記録されているＡＶ信号とを同時に前記表示手段上に表示させることを特徴とする請求項４に記載の多画面表示装置。
【請求項６】
前記再生制御手段は、
外部からのＡＶ信号入力を受けて、これを併せて前記表示手段上に表示させることを特徴とする請求項５に記載の多画面表示装置。
【請求項７】
前記表示手段は、単一の画面を備えたものであり、
前記再生制御手段は、前記単一の画面を分割することにより前記ＡＶ信号をＮ個かつ同時に表示させることを特徴とする請求項１ないし６のいずれかに記載の多画面表示装置。
【請求項８】
前記単一の画面の分割数は、Ｎ個以上の数で任意に設定可能であることを特徴とする請求項７に記載の多画面表示装置。
【請求項９】
前記分割された画面の配列は、任意に設定可能であることを特徴とする請求項７または８に記載の多画面表示装置。
【請求項１０】
前記分割された画面の大きさは、任意に設定可能であることを特徴とする請求項７ないし９のいずれかに記載の多画面表示装置。
【請求項１１】
前記分割された画面のうち、少なくとも１つの画面は、前記他の分割された画面と識別可能となるよう加工されていることを特徴とする請求項１０に記載の多画面表示装置。
【請求項１２】
前記識別可能となるように加工されている画面は一つであり、該画面に表示されている放送番組の音声が出力されていることを特徴とする請求項１１に記載の多画面表示装置。
【手続補正２】
【補正対象書類名】明細書
【補正対象項目名】０００２
【補正方法】変更
【補正の内容】
【０００２】
【従来の技術】
従来より、多チャンネル化、コンテンツの多様化といった、ＴＶ放送を取り巻く環境の変化に応じて、利便性を高めるため単一の画面に複数の番組を表示するようにしたテレビ受像器が求められており、これまでに、例えば以下のようなものが知られている。
【手続補正３】
【補正対象書類名】明細書
【補正対象項目名】０００３
【補正方法】変更
【補正の内容】
【０００３】
１．２基またはそれ以上のチューナを内蔵して、複数の番組を単一の画面に同時に表示するようにしたもの（例えば特開平６−１２５５０７号公報を参照）。
【手続補正４】
【補正対象書類名】明細書
【補正対象項目名】００１３
【補正方法】変更
【補正の内容】
【００１３】
【発明の実施の形態】
以下、本発明の実施の形態を、図面を参照して説明する。
（実施の形態１）
図１は、本発明の実施の形態１による多画面表示装置の構成を示す図である。図に示すように、多画面表示装置１００において、アンテナ１０１は放送を受信する手段、チューナ１０２はアンテナ１０１から受信した放送の入力を受ける手段、受信制御部１０３はチューナ１０２および信号記憶部１０４の動作を制御する手段、信号記憶部１０４はチューナ１０２からの信号を記憶する手段、信号再生部１０５は、信号記憶部１０４に記憶された信号を再生する手段、再生制御部１０６は、信号再生部１０５の動作を制御する手段、表示装置１０７は、信号再生部１０５が再生する信号を映像として表示する手段である。なお、本発明の入力手段制御手段は、本実施の形態の受信制御部１０３に相当するものである。また、本発明の記録手段は、本実施の形態の信号記憶部１０４に、本発明の再生制御手段は本実施の形態の再生制御部１０６および信号再生部１０５に、本発明の表示手段は本実施の形態の表示装置１０７にそれぞれ相当するものである。
【手続補正５】
【補正対象書類名】明細書
【補正対象項目名】００１８
【補正方法】変更
【補正の内容】
【００１８】
さらに所定の時間が経過すると、受信制御部１０３は、再びチューナ制御信号を発し、チューナ１０２のチャンネルを新たな放送局のものに切り換える。以下、同様の動作を繰り返すことにより、チューナ１０２は、一定周期で循環的に９局のチャンネルを連続して受信する。
【手続補正６】
【補正対象書類名】明細書
【補正対象項目名】００３０
【補正方法】変更
【補正の内容】
【００３０】
なお、本実施の形態においては、信号記憶部１０４に記憶したＡＶ信号のうち、映像信号を動画として表示装置１０７に出力するものとして説明を行ったが、音声信号を同時に出力するようにしてもよい。このとき、音声出力中のチャンネルの表示領域には、画面３０上の他の表示領域と識別できるように、図３に示すように、指示枠３２のような識別符号を付与するのが好ましい。
【手続補正７】
【補正対象書類名】明細書
【補正対象項目名】００３２
【補正方法】変更
【補正の内容】
【００３２】
また、各表示領域３１ａ〜３１ｉあるいは画面３０全体には、放送番組の動画像のみに限らず、再生制御部１０６の補助情報を利用して、チャンネル番号、放送局名、番組名等の説明文を同時あるいは適宜画像と切り換えて表示するようにしてもよい。一例として、図３に示す例では、各表示領域３１ａ〜３１ｉにはそれぞれ領域右上隅に各領域に対応したチャンネル番号が表示されるようになっている。
【手続補正８】
【補正対象書類名】明細書
【補正対象項目名】００３３
【補正方法】変更
【補正の内容】
【００３３】
また、信号記憶部１０４からの映像信号の出力は、受信制御部１０３の制御によるチューナ１０２のチャンネルの切り換え順に同期して行なわれるが、画面３０の各表示領域３１ａ〜３１ｉ上での表示の順番は、任意の配列によって行ってよく、例えばチャンネルの数の昇順あるいは降順に順次縦あるいは横に画面３０上を走査するように表示してもよいし、さらに図４に示すように、（ａ）マーチ型、（ｂ）螺旋型、（ｂ）スキップ型（一つ画面とばし等）、斜め向きなどにしてもよい。これらの表示パターンは、所定の時間毎に切り換えて行うようにしてもよい。
【手続補正９】
【補正対象書類名】明細書
【補正対象項目名】００３４
【補正方法】変更
【補正の内容】
【００３４】
さらに、本実施の形態においては、画面３０上の全ての表示領域３１ａ〜３１ｉは、信号記憶部１０４からの映像信号を動画像として表示するものとして説明を行ったが、これに限定する必要はなく、例えば一つの表示領域は、チューナ１０２から直接ＡＶ信号を入力して、リアルタイムで放送されている放送番組を表示するようにしてもよい。
（実施の形態２）
実施の形態１による多画面表示装置は、チューナ１０２から入力したＡＶ信号を、そのまま信号記憶部１０４に記憶するものであったが、例えば、現行の地上波放送にて用いられているアナログ形式の放送にこれを用いた場合、ＡＶ信号の情報量はそのままでは莫大なものとなる。そこで本実施の形態２による多画面表示装置は、ＡＶ信号にＭＰＥＧ等の高能率符号化の処理を行い、情報量を圧縮してから記憶するようにしたものである。